(57)【特許請求の範囲】
【請求項１】
弓を有し、該弓より矢を発射する矢発射手段と、
前記矢発射手段より射られた矢を一方の面で受け止める標的板と、
前記標的板の矢を受け止める面に設けられて、遊戯者を該受止面に保持する保持具と、
線材又は棒材から構成されてなり、一端が前記矢発射手段に接続され、他端が、前記保持具によって保持される遊戯者の外側に位置するように前記標的板の受止面に固設されて、前記矢発射手段と標的板との間で、前記弓より発射された矢に係合してその移動を案内するガイド手段とを備えてなることを特徴とする遊戯用設備。
【請求項２】
前記標的板の前記受止面に、人の輪郭を形取った保護枠を設けてなり、前記保持具は、前記保護枠内に遊戯者を保持するように構成されてなることを特徴とする請求項１記載の遊戯用設備。
【請求項３】
前記標的板は、人型にくり貫かれたくり貫き部を前記受止面に有し、前記保持具は、該くり貫き部に遊戯者を保持するように構成されてなることを特徴とする請求項１記載の遊戯用設備。
【発明の詳細な説明】
【０００１】
【産業上の利用分野】
本発明は遊園地や公園等の行楽, 歓楽地に設置して好適な遊戯用設備に関する。
【０００２】
【従来の技術】
遊園地等に娯楽を目的とした各種遊戯施設が設置されているのは周知の通りである。例えば、水平に設けた回転支軸にアームを設け、当該アームに座席を取り付けて構成したトップスピン, トマホークと呼ばれる遊戯装置が知られている。これらの装置によれば、前記回転支軸を中心に前記座席が垂直面内で回転、即ち円運動する。而して、座席に搭乗した遊戯者は、上昇時に重力（Ｇ）を体感し、降下時に無重力感を体感し、日常生活では到底味わうことのできない特異な感覚を手軽に体感できることから、当該装置は若年層をはじめとして多くの人に人気を集めている。また、遊戯者にスピード感やスリル感を味わわせる乗物としてジェットコースタ等もよく知られている。そして近年では、更にスピード感やスリル感の増した乗物として宙返り部や急反転部を設けたものが提案されており、これも日常生活では到底味わうことのできない特異な感覚を手軽に体感できることから、若年層をはじめとして多くの人に人気を集めている。
【０００３】
【発明が解決しようとする課題】
しかしながら、従来開発されてきた遊戯用設備は殆どが大型のものであり、小型でどこにでも設置でき、しかも簡易な遊戯用設備の開発はあまりされていない。また、近年、若者の間では趣味感や価値観が多様化し、従来にない感覚を体感できる遊戯施設が求められている。
本発明はかかる実情の下なされたものであり、従来にないスリル感を味わうことができ、しかも小型で、簡易な遊戯用設備の提供を目的とする。
【０００４】
【課題を解決するための手段】
上記目的を達成するための、本発明の請求項１に係る発明は、弓を有し、該弓より矢を発射する矢発射手段と、前記矢発射手段より射られた矢を一方の面で受け止める標的板と、前記標的板の矢を受け止める面に設けられて、遊戯者を該受止面に保持する保持具と、線材又は棒材から構成されてなり、一端が前記矢発射手段に接続され、他端が、前記保持具によって保持される遊戯者の外側に位置するように前記標的板の受止面に固設されて、前記矢発射手段と標的板との間で、前記弓より発射された矢に係合してその移動を案内するガイド手段とを備えた遊戯用設備に係る。
【０００５】
また、請求項２に係る発明は、前記標的板の前記受止面に、人の輪郭を形取った保護枠が設けられ、前記保持具が、前記保護枠内に遊戯者を保持するように構成された遊戯用設備に係り、請求項３に係る発明は、前記標的板が人型にくり貫かれたくり貫き部を前記受止面に有し、前記保持具が、該くり貫き部に遊戯者を保持するように構成された遊戯用設備に係る。
【０００６】
【作用及び効果】
本発明の請求項１の発明によれば、まず、遊戯者を保持具により標的板に保持する。ついで矢発射手段の弓より矢を射る。発射された矢はガイド手段に案内されて標的板に至る。これにより遊戯者は矢が自身に当たるのではないかという恐怖心を覚え、スリリングな感覚を体感する。尚、矢はガイド手段により遊戯者に当たらない位置に導かれるので、遊戯者は安全である。また、遊戯者は保持具により保持されているので、恐怖心から所定位置より動いて矢に接触するという危険がない。
【０００７】
また、請求項２の発明によれば、遊戯者は保護枠内により保持されているので、矢がぶれて遊戯者に接触するという危険がなく、矢を極力遊戯者に接近させて導くことができ、これにより遊戯者は更にスリリングな感覚を体感することができる。また、請求項３の発明によれば、遊戯者を標的板のくり貫き部に保持しているので、矢が遊戯者に当たることはなく、請求項２の発明におけると同様に、矢を極力遊戯者に接近させて導くことができ、これにより遊戯者は更にスリリングな感覚を体感することができる。
【０００８】
【実施例】
以下、本発明の実施例について添付図面に基づき説明する。
【０００９】
（実施例１）
図１は本発明の一実施例に係る遊戯用設備を示す斜視図であるが、同図に示すように、実施例１の遊戯用設備は、基板（３）と、この基板（３）上の両端に相互に対峙せしめて設けた矢発射手段（１）及び標的板（２）と、この矢発射手段（１）と標的板（２）との間に張り渡したガイドロープ（４）と、このガイドロープ（４）に係合せしめた矢（７）とを備えてなるものである。
【００１０】
前記矢発射手段（１）は、前記基板（３）上に立設した支持板（１ａ）と、弓（５）とを備えてなる。弓（５）は前記矢（７）を発射できるものであればどのような構成でも良いが、この例では洋式の弓を用いた。そして図示する如く支持板（１ａ）に設けた設置孔（６）に前記弓（５）を固設するとともに、前記ガイドロープ（４）の一端を当該弓（５）に固設している。
【００１１】
また、前記標的板（２）は前記基板（３）の他端に、前記支持板（１ａ）と対峙せしめて設けたもので、木材等の前記矢（７）が突き刺さる材質のものを用いて構成している。そして、図２に示すように、この標的板（２）の前記矢発射手段（１）に対向する面に保護枠（９）及び保持具（１０）を設けている。この保護枠（９）は人の輪郭の概略を形取ったもので、アクリル板等の透明体で構成するのが好ましい。このように透明体で構成することにより遊戯者（Ｙ）の視覚が遮られない。また、保持具（１０）はベルトよりなり、これを前記保護枠（９）内に設けている。而して、図示する如く遊戯者（Ｙ）が保護枠（９）内に保持される。そして、図１に示すように、前記ガイドロープ（４）の他端を前記標的板（２）の保護枠（９）外に、当該保護枠（９）に極力接近せしめて固設している。
【００１２】
また、前記ガイドロープ（４）には視覚しにくく引張強度の高い線材を用いるのが好ましく、例えばピアノ線の他、透明なビニール線等を用いることができる。視覚しにくいものを用いることでリアル感を出すことができる。尚、矢発射手段（１）と標的板（２）との間に張り渡した当該ガイドロープ（４）には所定の張力をかけている。
【００１３】
また、前記矢（７）は前記弓（５）に対応して通常用いられるものであり、その軸の部分２箇所に、前記ガイドロープ（４）に係合したガイドリング（８）を備えている。
【００１４】
実施例１の遊戯用設備は以上の構成を備えるが、弓（５）, ガイドロープ（４）の個数は図示する例に限られるものでないことは言うまでもない。
【００１５】
以上の構成を備える実施例１の遊戯用設備によれば、まず、遊戯者（Ｙ）を保持具（１０）により標的板（２）の保護枠（９）内に保持する。ついで矢発射手段（１）の弓（５）より矢（７）を射る。発射された矢（７）は、ガイドリング（８）がガイドロープ（４）に係合しているので、当該ガイドロープ（４）に案内されて標的板（２）に至りこれに突き刺さる。これにより遊戯者（Ｙ）は矢が自身に当たるのではないかという恐怖心を覚え、スリリングな感覚を体感する。尚、上述したように矢（７）はガイドロープ（４）により遊戯者（Ｙ）に当たらない位置に導かれるので、遊戯者（Ｙ）は安全である。また、遊戯者（Ｙ）は保護枠（９）内の保持具（１０）により保持されているので、恐怖心から所定位置より動いて矢に接触するという危険がない。また、遊戯者（Ｙ）は保護枠（９）内により保持されているので、矢（７）がぶれて遊戯者（Ｙ）に接触するという危険がなく、矢（７）を極力遊戯者（Ｙ）に接近させて導くことができ、これにより遊戯者（Ｙ）は更にスリリングな感覚を体感することができる。更に、矢（７）が移動する際に、ガイドリング（８）とガイドロープ（４）との摩擦音が発生するので、当該摩擦音の音響効果から遊戯者（Ｙ）は更に高まったスリル感を覚える。
【００１６】
（実施例２）
次に実施例２の遊戯用設備について図３に基づいて説明する。同図に示すように、実施例２の遊戯用設備は前述の実施例１のものと主要構成を共通にするものであり、当該共通の構成部分には同一の符号を付してその詳しい説明は省略する。
【００１７】
図示する如く、本例の遊戯用設備は複数の矢（７）を一体的に設け、１個の弓（５）を支持板（１ａ）に固設し、且つガイドロープ（４）を直接支持板（１ａ）に固設したものである。前記複数の矢（７）は、支持枠（１１）に当該各矢（７）を固設することによりこれを一体的に設けたものである。そして当該支持枠（１１）に支持軸（１２）を固設している。而して、当該支持軸（１２）が弓（５）にかけられ、標的板（２）に向けて放たれる。この遊戯用設備によれば、実施例１の場合と同じ作用, 効果を奏することは勿論のこと、これに加えて、矢（７）, 支持枠（１１）, 支持軸（１２）が一体的に遊戯者（Ｙ）に接近するので、遊戯者（Ｙ）は更に高まったスリル感を覚える。
【００１８】
（実施例３）
次に実施例３の遊戯用設備について説明する。本例については特に図示はしないが、前述の実施例１及び２において、保護枠（９）を設ける代わりに標的板（２）を人型にくり貫いて、当該くり貫き部に遊戯者（Ｙ）を保持するように構成したものである。このように構成しても実施例１及び２と同じ効果を奏する。
【００１９】
以上、本発明の具体的実施例について説明したが、これはあくまでも一例として例示したものであって、本発明の具体的態様がこれに限られるものではないことは言うまでもない。特に付言するするならば、前記矢発射手段（１）と標的板（２）とを相互に対峙せしめて設けたが、特に対峙せしめて設ける必要はなく、標的板（２）に位置した遊戯者（Ｙ）が矢発射手段（１）を視覚できない位置に、当該矢発射手段（１）を設けても良い。この場合には、ガイド手段をガイドロープ（４）ではなく、棒状の鋼材を湾曲せしめて構成すると良い。このように構成すれば、矢（７）が遊戯者（Ｙ）の死角から飛んでくるので、遊戯者（Ｙ）は更に高まったスリル感を感じることができる。
【図面の簡単な説明】
【図１】        本発明の一実施例たる実施例１の遊戯用設備を示す斜視図である。
【図２】        実施例１の保護枠及び保持具を示す斜視図である。
【図３】        実施例２の遊戯用設備を示す斜視図である。
【符号の説明】
１  矢発射手段
２  標的板
３  基板
４  ガイドロープ
５  弓
６  設置孔
７  矢
８  ガイドリング
９  保護枠
１０  保持具
１１  支持枠
１２  支持軸
【図１】
0003664266.tif 000002
【図２】
0003664266.tif 000003
【図３】
0003664266.tif 000004